(57)【要約】【課題】脱臭ユニットに加え、トイレルーム内や人体など所定の対象を加温又は乾燥させる温風の生成機能を備えながらも、加熱部の増設に由来する装置の大型化や最大消費電力の増大が抑制された衛生洗浄装置を提供する。【解決手段】トイレルームまたは便器内の空気を脱臭する脱臭ユニットを有すると共に、所定の対象を加温又は乾燥させる温風の生成機能を備えた衛生洗浄装置において、前記脱臭ユニットは、同ユニットを構成する脱臭フィルタの加熱再生を行う加熱部を備え、同加熱部は前記温風の熱源としても利用可能な位置に配設した。【選択図】図４
2020029754.tif 000002
【特許請求の範囲】
【請求項１】
トイレルームまたは便器内の空気を脱臭する脱臭ユニットを有すると共に、所定の対象を加温又は乾燥させる温風の生成機能を備えた衛生洗浄装置において、
前記脱臭ユニットは、同ユニットを構成する脱臭フィルタの加熱再生を行う加熱部を備え、同加熱部は前記温風の熱源としても利用可能な位置に配設したことを特徴とする衛生洗浄装置。
【請求項２】
前記所定の対象はトイレルーム内雰囲気であって、
前記脱臭ユニットは、前記空気を吸気してダクトを通じ前記トイレルームへ排気する送気部を更に有し、
前記衛生洗浄装置は、前記脱臭ユニットの駆動制御を行う制御部を備え、
同制御部は、前記加熱部を駆動して前記脱臭フィルタの加熱再生処理を実行する脱臭フィルタ再生処理実行手段を備えると共に、同脱臭フィルタ再生処理の実行中及び／または実行直後に前記送気部を稼動して前記トイレルーム内雰囲気の暖房を行う室暖処理実行手段を備えることを特徴とする請求項１に記載の衛生洗浄装置。
【請求項３】
前記制御部は、前記衛生洗浄装置の使用者の有無を検出する使用者検出手段からの使用者検出信号に基づいて前記衛生洗浄装置の使用頻度を統計し、統計結果から使用頻度の高い高頻度時間帯を特定する高頻度時間帯特定手段を備えると共に、前記室暖処理実行手段は、前記高頻度時間帯特定手段により特定した高頻度時間帯よりも前に、前記送気部と加熱部とを駆動して前記トイレルーム内の暖房を行うことを特徴とする請求項２に記載の衛生洗浄装置。
【請求項４】
前記所定の対象は人体であって、
前記衛生洗浄装置は、乾燥用ダクトを通じ人体へ向けて送気する乾燥用送風部と、前記脱臭ユニット及び前記乾燥用送風部の駆動制御を行う制御部とを備え、
同制御部は、前記乾燥用送風部の駆動時に前記脱臭ユニットの加熱部を駆動させる乾燥用気流加熱実行手段を備えることを特徴とする請求項１〜３いずれか１項に記載の衛生洗浄装置。
【請求項５】
前記乾燥用ダクトの内部に前記加熱部を露出させたことを特徴とする請求項４に記載の衛生洗浄装置。
【請求項６】
前記乾燥用ダクトの内部に前記加熱部にて発生させた熱を伝達する伝熱体を露出させたことを特徴とする請求項５に記載の衛生洗浄装置。
【請求項７】
前記脱臭フィルタの加熱再生は、同脱臭フィルタの脱臭機能の回復可能温度で所定時間加熱することにより周期的に行われるものであり、
前記制御部は、一の周期内に前記室暖処理実行手段及び／又は前記乾燥用気流加熱実行手段による前記加熱部の駆動により前記回復可能温度での加熱が行われた累積時間を前記所定時間から差し引いた時間に亘り前記回復可能温度で前記加熱部を駆動して前記脱臭フィルタの加熱再生を完了させる再生完了処理実行手段を備えることを特徴とする請求項２〜６いずれか１項に記載の衛生洗浄装置。
【発明の詳細な説明】
【技術分野】
【０００１】
本発明は、衛生洗浄装置に関する。
【背景技術】
【０００２】
従来、トイレルーム内に設置した便器上に配置され、腰掛けた使用者の臀部等の洗浄を行う衛生洗浄装置が広く利用されている。
【０００３】
また、衛生洗浄装置はこれまで様々な付加機能が提案されており、例えば用便後の臭気を除去する脱臭ユニットを備えることで、便器内やトイレルーム内の脱臭機能を発揮する衛生洗浄装置が存在している。
【０００４】
この脱臭機能を発揮するための方式は幾つか存在するが、代表的には、脱臭ユニットを構成する通気ダクトの中途に脱臭フィルタを配置し、この脱臭フィルタで臭気成分を吸着したり分解するものが挙げられる。
【０００５】
そして、便器内やトイレルーム内の臭気成分を含む空気を脱臭ユニット内に取り込み、脱臭フィルタを通過させて臭気成分を吸着・分解した上で再び脱臭ユニット外に排気することで脱臭機能が実現される。
【０００６】
ところが、脱臭動作を繰り返すと、脱臭フィルタの臭気成分吸着能は徐々に飽和し、脱臭効率が低下する。
【０００７】
この場合、脱臭フィルタを交換して対応することも可能であるが、近年では脱臭フィルタを加熱し、吸着されている臭気成分を分解して脱臭フィルタの再生を行うものが提案されている（例えば、特許文献１参照。）。
【０００８】
このような衛生洗浄装置によれば、脱臭フィルタの交換に要する手間を省くことができ、トイレルームや便器内の脱臭を効率的に行うことができる。
【先行技術文献】
【特許文献】
【０００９】
【特許文献１】特開２００１−２４１０８７号公報
【発明の概要】
【発明が解決しようとする課題】
【００１０】
ところで、衛生洗浄装置の付加機能としては上述した脱臭機能の他にも、例えばトイレルームの暖房を行う室暖機能や、臀部等の洗浄によって濡れた人体を乾燥させる乾燥機能など、温風の生成機能を軸に実現される各種機能を備えたものがある。
【００１１】
これらの各種機能は、衛生洗浄装置のバリエーションに応じ、各機種毎に適宜加減を容易とすべくそれぞれユニット化されている場合が多い。
【００１２】
従って、例えば機能豊富な上位機種では、脱臭機能を担う脱臭ユニットの他に、室暖機能を担う室暖ユニットや乾燥機能を担う人体乾燥ユニットなど、機能毎に温風生成を行うユニットを備えており、また、これらユニット毎に温風生成のための加熱部が備えられる。
【００１３】
しかしながら、温風生成機能を軸とする各ユニット毎に加熱部を設けると、衛生洗浄装置全体が大型化したり、また、加熱部が電気により熱源として機能するものである場合には最大消費電力が増大してしまう場合があった。
【００１４】
本発明は、斯かる事情に鑑みてなされたものであって、脱臭ユニットに加え、トイレルーム内や人体など所定の対象を加温又は乾燥させる温風の生成機能を備えながらも、加熱部の増設に由来する装置の大型化や最大消費電力の増大が抑制された衛生洗浄装置を提供する。
【課題を解決するための手段】
【００１５】
上記従来の課題を解決するために、本発明に係る衛生洗浄装置では、トイレルームまたは便器内の空気を脱臭する脱臭ユニットを有すると共に、所定の対象を加温又は乾燥させる温風の生成機能を備えた衛生洗浄装置において、前記脱臭ユニットは、同ユニットを構成する脱臭フィルタの加熱再生を行う加熱部を備え、同加熱部は前記温風の熱源としても利用可能な位置に配設した。
【００１６】
このような構成を備える衛生洗浄装置によれば、脱臭フィルタの加熱再生を行う加熱部を、所定対象の加温や乾燥を行う温風の生成のための熱源として兼用することができ、温風生成機能を軸とする各種機能を備えながらも、衛生洗浄装置の大型化や最大消費電力の増大を抑制することができる。
【００１７】
また、本発明のうち他の態様に係る衛生洗浄装置では、前記所定の対象はトイレルーム内雰囲気であって、前記脱臭ユニットは、前記空気を吸気してダクトを通じ前記トイレルームへ排気する送気部を更に有し、前記衛生洗浄装置は、前記脱臭ユニットの駆動制御を行う制御部を備え、同制御部は、前記加熱部を駆動して前記脱臭フィルタの加熱再生処理を実行する脱臭フィルタ再生処理実行手段を備えると共に、同脱臭フィルタ再生処理の実行中及び／または実行直後に前記送気部を稼動して前記トイレルーム内雰囲気の暖房を行う室暖処理実行手段を備えることとしている。
【００１８】
このような構成を備えた衛生洗浄装置によれば、脱臭フィルタの加熱再生中や再生完了後に送気部を稼動させることで、脱臭ユニットを室暖ユニットとしても機能させることができ、脱臭ユニットと室暖ユニットとをそれぞれ別個に備える必要がなく、加熱部の増設に由来する装置の大型化や最大消費電力の増大を抑制しつつも、脱臭機能に加えて室暖機能を衛生洗浄装置に実装することができる。
【００１９】
また、本発明のうち他の態様に係る衛生洗浄装置では、前記制御部は、前記衛生洗浄装置の使用者の有無を検出する使用者検出手段からの使用者検出信号に基づいて前記衛生洗浄装置の使用頻度を統計し、統計結果から使用頻度の高い高頻度時間帯を特定する高頻度時間帯特定手段を備えると共に、前記室暖処理実行手段は、前記高頻度時間帯特定手段により特定した高頻度時間帯よりも前に、前記送気部と加熱部とを駆動して前記トイレルーム内の暖房を行うこととしている。
【００２０】
このような構成を備えた衛生洗浄装置によれば、トイレルームへの入室頻度が高いと予想される時間帯に際し、事前にトイレルーム内の暖房を行うことができ、しかも、トイレルームの脱臭と、脱臭フィルタの再生までもを同時に行うことができる。
【００２１】
従って、高頻度時間帯にトイレルームに入室した使用者がトイレルーム内で不快な臭気を感じてしまうことを抑制することができ、脱臭フィルタの再生をしつつ、併せて冬場などトイレルーム内の室温が低い場合であっても暖房を行って快適なトイレ環境を実現することができる。
【００２２】
また、本発明のうち他の態様に係る衛生洗浄装置では、前記所定の対象は人体であって、前記衛生洗浄装置は、乾燥用ダクトを通じ人体へ向けて送気する乾燥用送風部と、前記脱臭ユニット及び前記乾燥用送風部の駆動制御を行う制御部とを備え、同制御部は、前記乾燥用送風部の駆動時に前記脱臭ユニットの加熱部を駆動させる乾燥用気流加熱実行手段を備えることとしている。
【００２３】
このような構成を備えた衛生洗浄装置によれば、脱臭フィルタの加熱再生を行う加熱部を、人体乾燥を行う温風の生成のための熱源として兼用することができ、加熱部の増設に由来する装置の大型化や最大消費電力の増大を抑制することができる。
【００２４】
また、本発明のうち他の態様に係る衛生洗浄装置では、前記乾燥用ダクトの内部に前記加熱部を露出させることとしている。
【００２５】
このような構成を備えた衛生洗浄装置によれば、脱臭のための通気ダクト（室暖用のダクトとして兼用する場合も含む）の通気流路と、人体乾燥のための乾燥用ダクトの通気流路とが交わっておらず各ダクトの気流が相互に混じり合わない構成とした場合であっても、脱臭ユニットの加熱部により乾燥用ダクト内を流れる気流を直接的に加温することができる。
【００２６】
また、本発明のうち他の態様に係る衛生洗浄装置では、前記乾燥用ダクトの内部に前記加熱部にて発生させた熱を伝達する伝熱体を露出させることとしている。
【００２７】
このような構成を備えた衛生洗浄装置によれば、先と同じく脱臭用の通気ダクトと乾燥用ダクトとの気流が相互に混じり合わない構成とした場合であっても、露出させた伝熱体により乾燥用ダクト内を流れる気流を間接的に加温することができる。
【００２８】
また、本発明のうち他の態様に係る衛生洗浄装置では、前記脱臭フィルタの加熱再生は、同脱臭フィルタの脱臭機能の回復可能温度で所定時間加熱することにより周期的に行われるものであり、前記制御部は、一の周期内に前記室暖処理実行手段及び／又は前記乾燥用気流加熱実行手段による前記加熱部の駆動により前記回復可能温度での加熱が行われた累積時間を前記所定時間から差し引いた時間に亘り前記回復可能温度で前記加熱部を駆動して前記脱臭フィルタの加熱再生を完了させる再生完了処理実行手段を備えることとしている。
【００２９】
このような構成を備えた衛生洗浄装置によれば、脱臭フィルタの加熱再生に際し、余分な熱量の付与、例えば加熱部が電力により熱源として機能する場合には余分な電力を使用してしまうことを抑制でき、効率的な加熱再生を行うことができる。
【発明の効果】
【００３０】
本発明によれば、脱臭ユニットに加え、トイレルーム内や人体など所定の対象を加温又は乾燥させる温風の生成機能を備えながらも、加熱部の増設に由来する装置の大型化や最大消費電力の増大が抑制された衛生洗浄装置を提供することができる。
【図面の簡単な説明】
【００３１】
【図１】本実施形態に係る衛生洗浄装置を備えたトイレの外観を示す説明図である。
【図２】本実施形態に係る衛生洗浄装置の内部構成を示した説明図である。
【図３】脱臭・室暖ユニットの構成を示す説明図である。
【図４】再生用ヒータの配置構成を示した説明図である。
【図５】本実施形態に係る衛生洗浄装置の電気的構成を示す説明図である。
【図６】制御部において実行される処理を示したフローである。
【図７】制御部において実行される処理を示したフローである。
【図８】制御部において実行される処理を示したフローである。
【図９】制御部において実行される処理を示したフローである。
【図１０】制御部において実行される処理を示したフローである。
【図１１】変形例に係る制御部において実行される処理を示したフローである。
【図１２】変形例に係る再生用ヒータの配置構成を示した説明図である。
【発明を実施するための形態】
【００３２】
本発明は、トイレルームまたは便器内の空気を脱臭する脱臭ユニットを有すると共に、所定の対象を加温又は乾燥させる温風の生成機能を備えた衛生洗浄装置において、加熱部の増設に由来する装置の大型化や最大消費電力の増大が抑制された衛生洗浄装置を提供するものである。
【００３３】
以下、本実施形態に係る衛生洗浄装置について、図面を参照しながら説明する。図１は本実施形態に係る衛生洗浄装置Ａを備えたトイレ１０の外観を示す説明図である。
【００３４】
図１に示すように、トイレルームＲの床面１１上にはトイレ１０が配置されており、使用者が用便を足すことができるよう構成している。
【００３５】
トイレ１０は、床面１１に設置した陶器製の便器１２と、同便器１２上に載置した衛生洗浄装置Ａとで構成している。
【００３６】
衛生洗浄装置Ａのケーシング１８の内部には、後述する制御部１３や脱臭・室暖ユニット１４や乾燥ユニット２２の他、種々の機構が収容されており、使用者が快適にトイレ１０を使用するための機能を実現している。一例を挙げるならば、使用者の臀部等を洗浄する機構や、洗浄水の流下・停止を制御する機構、便蓋や便座の自動開閉機構等が収容されており、奥壁部１５ａに設置されている商用電源のコンセント１６から電力を得て、これらの機構を駆動させるよう構成している。
【００３７】
また、衛生洗浄装置Ａには、トイレルームＲ内に入室したトイレ１０の使用者を検出する使用者検出手段としての人感センサ１９が配設されている。この人感センサ１９は制御部１３に電気的に接続されており、使用者のトイレルームＲへの入室があったと制御部１３が判断した場合には、例えば便蓋や便座を自動で開けたり、便器１２内を予備的に洗浄するなどの動作が行われる。
【００３８】
また、トイレルームＲの側壁部１５ｂにはリモコン装置１７が配設されており、衛生洗浄装置Ａにより実現される各種機能を遠隔操作により実行できるよう構成している。
【００３９】
図２は、衛生洗浄装置Ａの内部構成を示した説明図である。衛生洗浄装置Ａの基板２０上には、制御部１３、洗浄ユニット２１、乾燥ユニット２２、脱臭・室暖ユニット１４を始め、衛生洗浄装置Ａによる種々の機能を実現するための機構が載置されている。
【００４０】
制御部１３は、コンセント１６からの電力の監視や各ユニットへの電力の供給の他、各ユニットや機構の稼動制御等を行う。なお、制御部１３による脱臭・室暖ユニット１４や乾燥ユニット２２の制御については、追って詳説する。
【００４１】
洗浄ユニット２１は、使用者の臀部等を洗浄するためのユニットであり、図示しない給水配管より供給される湯水を、便器１２の便鉢内空間に出没自在としたノズル２１ａより使用者の臀部等に対し噴射可能としている。
【００４２】
乾燥ユニット２２は、洗浄ユニット２１による洗浄後の使用者の人体、例えば臀部等に対し温風を吹き当てて乾燥させるためのユニットである。乾燥ユニット２２は、乾燥ファン２２ａと乾燥用ダクト２２ｂを備えると共に、後述する脱臭・室暖ユニット１４の再生用ヒータ２９を熱源として、乾燥ファン２２ａにて吸気した空気を温め、乾燥用ダクト２２ｂの下流端部にて便鉢内に臨ませつつ開口させた吹出口２２ｃから吹き出して使用者の臀部等を乾燥させるよう構成している。
【００４３】
脱臭・室暖ユニット１４は、先述の如く用便後の臭気、例えば便鉢内の臭気やトイレルームＲ内の臭気を除去するためのユニットである。
【００４４】
また、脱臭・室暖ユニット１４は、本実施形態に係る衛生洗浄装置Ａの特徴的な点として、トイレルームＲ内雰囲気（トイレルームＲ内の空気）を所定対象として加温させる温風生成機能を軸とした室暖ユニットとしての役割も担っている。
【００４５】
具体的には、図２及び図３（ａ）に示すように、脱臭・室暖ユニット１４は、吸気ダクト２５と、ファン２６と、送気ダクト２７とを備えている。
【００４６】
吸気ダクト２５は、脱臭や加温の対象となる空気、すなわち、便器内やトイレルームＲの空気をファン２６へ導くためのダクトであり、その上流側先端部には便鉢内空間に臨ませた吸気口２５ａを開口させている。
【００４７】
また、吸気ダクト２５の下流側にはファン２６が連通接続されている。ファン２６は、気流を生起させることで吸気ダクト２５の吸気口２５ａから空気を吸気すると共に、送気ダクト２７へ空気を送り出し後述の排気口２７ａへ送給する送気部としての役割を有する。このファン２６は制御部１３に電気的に接続されており、制御部１３の制御によりその駆動や停止、風量調整を可能としている。
【００４８】
ファン２６の下流側には、送気ダクト２７を連通接続している。送気ダクト２７は、同送気ダクト２７の下流端に設けた排気口２７ａへ向けてファン２６により送気された空気を導くためのダクトであり、本実施形態では図１や図２において示すように略Ｌ字状に屈曲させて衛生洗浄装置Ａの側方から排気口２７ａを介して排気するよう構成している。なお、図３（ａ）中において送気ダクト２７の下流側は破線で示して図示を一部省略している。
【００４９】
また、送気ダクト２７の中途には、流路断面を拡幅した膨大部２７ｂを形成している。図３（ｂ）は、図３（ａ）中のＸ−Ｘ断面部における膨大部２７ｂの内部構成を示した説明図である。
【００５０】
図３（ｂ）に示すように、膨大部２７ｂの内部には脱臭処理ユニット２４が収容されており、同脱臭処理ユニット２４は、脱臭フィルタ２８と、再生用ヒータ２９と断熱材３０とを備えている。
【００５１】
脱臭フィルタ２８は、活性炭や酸化金属触媒等を厚板でハニカム形状に焼成してなる多孔質状のセラミックス焼成体であり、同脱臭フィルタ２８の表裏（図３（ｂ）に示す紙面奥から手前方向）へ空気を流通させつつ、空気中に含まれる臭気成分、例えばアンモニアやトリメチルアミン、メチルメルカプタン、硫化水素に代表される大小便臭の原因成分を吸着させて脱臭可能としている。この脱臭フィルタ２８は、膨大部２７ｂの流路断面の略中央にて、流路断面積の大半を占めるよう配設している。
【００５２】
また、この脱臭フィルタ２８は、所定の温度以上に加熱することで、既に吸着している臭気成分等を分解して吸着能を回復させ再生することが可能である。
【００５３】
すなわち、ファン２６が稼動しておらず脱臭フィルタ２８に通気されていない状態で加熱した場合は勿論のこと、通気中に加熱した場合であっても、臭気成分の分解速度が、通気による脱臭フィルタ２８への臭気成分の吸着速度を上回ることのできる温度で加熱することで、再生することができる。なお、以下の説明において、臭気成分の分解速度が吸着速度を上回る加熱温度を回復可能温度ともいう。
【００５４】
再生用ヒータ２９は、脱臭フィルタ巻着部２９ａと、突設加熱部２９ｂとを備えており、通電により脱臭フィルタ巻着部２９ａと突設加熱部２９ｂとが同時に発熱する構成としている。
【００５５】
脱臭フィルタ巻着部２９ａは、脱臭フィルタ２８を加熱再生する際の熱源として機能する帯状のヒータであり、脱臭フィルタ２８の側部周面に巻着している。
【００５６】
突設加熱部２９ｂは、送気ダクト２７の外に突出し、図２において示すように、脱臭・室暖ユニット１４の隣に配置した乾燥ユニット２２の乾燥用ダクト２２ｂ内に露出させて、人体乾燥用の温風生成のための空気の加温を行うための部位である。
【００５７】
図４に、乾燥ユニット２２と脱臭・室暖ユニット１４との関係を模式的に示す。なお、図４に示す乾燥ユニット２２や脱臭・室暖ユニット１４のダクト内に記載した矢印は空気の流れを示しており、破線矢印は加熱前の空気、実線矢印は加熱後の空気を示している。
【００５８】
具体的には、図４に示すように、脱臭・室暖ユニット１４と乾燥ユニット２２は隣同士に配置されており、脱臭・室暖ユニット１４の膨大部２７ｂ内に配置した脱臭処理ユニット２４の再生用ヒータ２９は、脱臭フィルタ巻着部２９ａを送気ダクト２７内に、また突設加熱部２９ｂは送気ダクト２７を突き抜けて乾燥ユニット２２の乾燥用ダクト２２ｂ内に露出して配設している。
【００５９】
なお、本実施形態において再生用ヒータ２９は、ＰＴＣヒータを採用してもよいし、また、その他の一般的な電熱ヒータを用いることもできる。具体的には、ＰＴＣヒータの場合、半導体粒子とカーボン粒子の如き導体粒子などが配合された発熱面を備え、温度が低いと電気抵抗が下がり通電が容易となって発熱量が増大する一方、温度が高くなると電気抵抗が増して通電が抑制され発熱量が減少するよう構成しており、再生用ヒータ２９による自律的な温度の安定化が可能である。この場合、再生時に脱臭フィルタ２８の温度が回復可能温度（例えば本実施形態では、概ね80〜110℃程度）以上に保たれる仕様のＰＴＣヒータを採用しても良い。また、脱臭・室暖ユニット１４により室暖機能を発揮している際に、併せて脱臭フィルタ２８の再生も行う場合は、室暖機能のみを発揮する場合の発熱量と、同時に再生も行う場合の発熱量とを切替可能とするために、自律的な温度安定化機能を備えない通常のヒータを選択することもできる。
【００６０】
また、再生用ヒータ２９は、制御部１３に電気的に接続されており、制御部１３の制御によりその駆動や停止を可能としている。
【００６１】
断熱材３０は、図３（ｂ）に示すように、再生用ヒータ２９の熱が送気ダクト２７に伝達されることを抑制する役割を果たすものであり、脱臭フィルタ２８の周囲に巻着した再生用ヒータ２９と、送気ダクト２７の内壁面との間隙を充填して同間隙部分の気密性が保たれるよう、すなわち、送気ダクト２７を通気する空気の略全量が脱臭フィルタ２８を通過するよう配置している。
【００６２】
そして、このような構成を備える脱臭・室暖ユニット１４は、ファン２６を駆動させて便鉢内の臭気成分を含んだ空気を吸気口２５ａより吸引し、脱臭フィルタ２８に吸着させ、臭気成分が低減された空気を排気口２７ａからトイレルームＲへ排気することで、脱臭機能が実現される。なお、トイレルームＲの臭気成分を含んだ空気も、便座や便蓋の間隙を介して便鉢内を経由し吸気口２５ａから取り込ませたり、衛生洗浄装置Ａの表面に形成した別の吸気口等を介して吸気ダクト２５に導くことにより、トイレルームＲの空気の脱臭も行うことができる。
【００６３】
また、脱臭フィルタ２８を再生用ヒータ２９で回復可能温度まで加熱することで、脱臭フィルタ２８の再生機能が実現される。
【００６４】
また、図４に示したように、再生用ヒータ２９に通電すると共に、乾燥ファン２２ａを駆動させれば、乾燥用ダクト２２ｂ内に露出させた突設加熱部２９ｂによって空気を加熱することができ、吹出口２２ｃより人体に対し温風を吹き出して乾燥を行うことができる。
【００６５】
すなわち、人体を乾燥させる温風の生成機能を軸とする乾燥ユニット２２に関し、再生用ヒータ２９の一部である突設加熱部２９ｂを乾燥用ダクト２２ｂ内に露出させて人体を乾燥させる温風の熱源としても利用可能な位置に配設したことで、衛生洗浄装置Ａの大型化や最大消費電力の増大を抑制している。
【００６６】
付言すれば、脱臭・室暖ユニット１４の吸気ダクト２５や送気ダクト２７の通気流路と、人体乾燥のための乾燥用ダクト２２ｂの通気流路とが交わっておらず各ダクトの気流が相互に混じり合わない場合であっても、脱臭・室暖ユニット１４の再生用ヒータ２９により乾燥用ダクト２２ｂ内を流れる気流を直接的に加温することができる。
【００６７】
また、先述したように、脱臭・室暖ユニット１４は室暖ユニットとしての役割も担っている。すなわち、再生用ヒータ２９は、トイレルーム内雰囲気を加温する温風の熱源としても利用可能な位置に配設しており、ファン２６を駆動させることにより再生用ヒータ２９自体や脱臭フィルタ２８で熱交換を行って温風を生成し、排気口２７ａからトイレルームＲ内に吹き出すことで、衛生洗浄装置Ａの大型化や最大消費電力の増大を抑制しつつ室暖機能が実現される。
【００６８】
また更には、脱臭・室暖ユニット１４にて室暖機能を発揮させている場合、温風生成による抜熱中の脱臭フィルタ２８の温度が回復可能温度に達していれば、室暖と同時に脱臭フィルタ２８の再生処理が行われている状態とも言える。
【００６９】
同様に、乾燥ユニット２２にて乾燥機能を発揮させている場合も再生用ヒータ２９に通電が行われるため、温風生成による抜熱中の脱臭フィルタ２８の温度が回復可能温度に達していれば、乾燥と同時に脱臭フィルタ２８の再生が行われている状態とも言える。
【００７０】
従って、室暖機能の発揮によって脱臭フィルタ２８が回復可能温度に達している時間（以下、室暖による副次的再生時間ともいう。）や、乾燥機能の発揮によって脱臭フィルタ２８が回復可能温度に達している時間（以下、乾燥による副次的再生時間ともいう。）は、脱臭フィルタ２８に既に蓄積された臭気成分等による吸着能の向上や飽和状態の緩和に寄与し、室暖や乾燥による副次的再生時間がない場合における脱臭フィルタ２８の完全再生に要する時間（以下、完全再生所要時間ともいう。）の短縮を可能とするものである。
【００７１】
次に、図５を参照しつつ衛生洗浄装置Ａの電気的な構成について説明する。図５は本実施形態に係る衛生洗浄装置Ａの電気的構成のうち主要部分を示したブロック図である。なお本来、制御部１３には衛生洗浄装置Ａが備える各種機能を実現するための種々の機構等が電気的に接続されているが、図５では、本発明の理解に供すべく抜粋して示していることに留意すべきである。
【００７２】
図５に示すように、制御部１３は、ＣＰＵ３１、ＲＯＭ３２、ＲＡＭ３３等を備えており、衛生洗浄装置Ａの稼動に必要なプログラム等を実行可能としている。また、制御部１３は、電気的（プログラム的）に実現された計時手段や日付手段（総称して日時手段３４という。）を備えており、ＣＰＵ３１等により現在の日時等を参照可能としている。
【００７３】
また、制御部１３内のＲＡＭ３３の所定アドレスには、暖房時間、脱臭時間、完全再生所要時間の値が予め記憶されている。
【００７４】
暖房時間は、トイレルームＲ内の暖房を行うにあたり、後述する暖房処理を行う時間を規定するものである。本実施形態において暖房時間は１時間としている。
【００７５】
脱臭時間は、便器内やトイレルームＲ内の脱臭を行うにあたり、後述する脱臭処理を行う時間を規定するものである。本実施形態において脱臭時間は10分間としている。
【００７６】
完全再生所要時間は、先述の如く副次的再生時間がない場合において脱臭フィルタ２８を再生完了状態とするのに要する時間を規定するものである。この完全再生所要時間は、再生用ヒータ２９の発熱量や脱臭フィルタ２８の熱容量等によって適宜定まるものであるが、本実施形態では１時間としている。
【００７７】
また、ＲＡＭ３３の所定アドレスには、ＣＰＵ３１によるプログラム等の実行によって適宜書換や参照が行われる値として、高頻度時間帯、高頻度使用前時間帯、ヒータ駆動値、ファン駆動値、乾燥中フラグ、暖房中フラグ、脱臭中フラグ、再生中フラグ、再生時室暖中フラグ、累積時間、差引時間が記憶される。
【００７８】
高頻度時間帯は、制御部１３が後述する頻度統計手段（高頻度時間帯特定手段）により衛生洗浄装置Ａの使用頻度の統計結果に基づいて特定した高頻度時間帯を記憶する値であり、同高頻度時間帯の開始時間及び終了時間が格納される。
【００７９】
高頻度使用前時間帯は、高頻度時間帯よりも前の時間帯を記憶する値である。この高頻度使用前時間帯は、トイレ１０が頻繁に使用される前に行っておくべき機能、例えばトイレルームＲの暖房や脱臭フィルタ２８の再生等が実行される時間帯であり、本実施形態では高頻度時間帯前１時間の開始時間及び終了時間を高頻度使用前時間帯として記憶している。
【００８０】
ヒータ駆動値は、ＣＰＵ３１（制御部１３）が参照し、再生用ヒータ２９の停止または駆動を行う値であり、０〜３の整数値を取る。ＣＰＵ３１は、ヒータ駆動値が０の場合は再生用ヒータ２９を停止させる。また、ヒータ駆動値が１の場合は、再生用ヒータ２９に対し第１の電力を供給して駆動させ、２または３の場合は第１の電力よりも大きい第２の電力を供給して駆動させる。第１の電力は、乾燥ユニット２２の乾燥ファン２２ａや脱臭・室暖ユニット１４のファン２６のいずれかが駆動した場合でも、再生用ヒータ２９が所定温度の温風の生成機能を発揮しつつ、少なくとも脱臭フィルタ２８を回復可能温度に加熱しうる程度の電力である。また、第２の電力は、乾燥ユニット２２の乾燥ファン２２ａと脱臭・室暖ユニット１４のファン２６との両方が駆動した場合でも、再生用ヒータ２９が所定温度の温風の生成機能を発揮しつつ、少なくとも脱臭フィルタ２８を回復可能温度に加熱しうる程度の電力である。
【００８１】
ファン駆動値は、ＣＰＵ３１（制御部１３）が参照し、ファン２６の停止または駆動を行う値であり、０〜２の整数値を取る。ＣＰＵ３１は、ファン駆動値が０の場合はファン２６を停止させる。また、ファン駆動値が１または２の場合は所定の電力を供給してファン２６を駆動させる。
【００８２】
乾燥中フラグ、暖房中フラグ、脱臭中フラグ、再生中フラグは、それぞれ、乾燥中、暖房中、脱臭中、再生中であることを示すフラグであり、実行中にはＯＮの値をとり、実行していない場合はＯＦＦの値をとる。
【００８３】
再生時室暖中フラグは、脱臭フィルタの再生処理中において、併せて暖房を行っていることを示すフラグであり、再生時室暖を行っている場合はＯＮの値をとり、行っていない場合はＯＦＦの値をとる。
【００８４】
累積時間は、前述の室暖による副次的再生時間や乾燥による副次的再生時間を積算した値である。
【００８５】
差引時間は、脱臭フィルタ２８の再生処理を行うにあたり、副次的再生によって吸着能が部分的に回復している場合、残りの回復に必要な時間だけ再生処理を行う際に算出される時間であり、本実施形態では、完全再生所要時間から累積時間を差し引いた時間としている。
【００８６】
また、ＲＡＭ３３の所定アドレスには、後述する使用頻度統計処理により生成した統計結果が格納される。本実施形態に係る衛生洗浄装置Ａでは、高頻度時間帯の設定は衛生洗浄装置Ａが自動的に行うこととなるが、この統計結果はこの自動設定の際にＣＰＵ３１が参照する。
【００８７】
また、ＲＡＭ３３には、乾燥を開始した時刻を表す乾燥開始時刻や、暖房を開始した時刻を表す暖房開始時刻、暖房を終了した時刻を表す暖房終了時刻、脱臭を開始した時刻を表す脱臭開始時刻、脱臭を終了した時刻を表す脱臭終了時刻、再生を開始した時刻を表す再生開始時刻など、必要に応じて各種時刻や値等が記憶されたり書換が行われる。
【００８８】
また、制御部１３には、図５に示すように、リモコン装置１７や人感センサ１９、温度センサ３５、着座センサ３６、洗浄ユニット２１、乾燥ユニット２２の乾燥ファン２２ａ、脱臭・室暖ユニット１４のファン２６、同じく脱臭・室暖ユニット１４の再生用ヒータ２９などが接続されており、制御部１３におけるプログラムの実行状況に応じて参照されたり、制御駆動するよう構成している。
【００８９】
リモコン装置１７は、衛生洗浄装置Ａの操作部として機能する部位であり、使用者が人体の洗浄を行う際に押下する洗浄ボタンや、洗浄水の強弱を調整するボタンなど各種ボタンや表示部が備えられている。特に本実施形態では、これらに加え、人体の乾燥を行う際に押下する乾燥ボタンや、暖房を行う暖房ボタン、脱臭を行う脱臭ボタン、またこれらの機能を停止させる停止ボタンが供えられている。リモコン装置１７により使用者が入力した情報は制御部１３へ送信され、各ユニットの制御が行われたり、ＲＡＭ３３に記憶される。
【００９０】
人感センサ１９は、使用者がトイレルームＲ内に在室しているか否かを検出するためのセンサである。制御部１３は人感センサ１９を監視しており、人感センサ１９より得られた情報は、ＲＡＭ３３の所定アドレスに随時格納される。
【００９１】
温度センサ３５は、トイレルームＲ内雰囲気、すなわち、トイレルームＲ内の室温を計測するためのセンサである。制御部１３は温度センサ３５を監視しており、温度センサ３５より得られた温度情報は、ＲＡＭ３３の所定アドレスに随時格納される。
【００９２】
着座センサ３６は、使用者がトイレ１０の便座に着座しているか否かを検出するためのセンサである。制御部１３は着座センサ３６を監視しており、着座センサ３６より得られた検出情報は、ＲＡＭ３３の所定アドレスに随時格納される。
【００９３】
制御部１３に接続されている洗浄ユニット２１や乾燥ユニット２２（乾燥ファン２２ａ）、脱臭・室暖ユニット１４（ファン２６、再生用ヒータ２９）については前述の通りであり、ここでは説明を省略する。
【００９４】
次に、制御部１３において実行される処理について、図６〜図１０を参照しつつ説明する。図６は、本実施形態に係る衛生洗浄装置Ａのメイン処理を示したフローである。
【００９５】
メイン処理において制御部１３のＣＰＵ３１はまず、ＲＡＭアクセス許可や作業領域初期化等の初期化処理を実行する（ステップＳ１１）。具体的には、高頻度時間帯や高頻度使用前時間帯、累積時間、差引時間のリセットを行い、ヒータ駆動値やファン駆動値の値を「０」とし、乾燥中フラグや暖房中フラグ、脱臭中フラグ、再生中フラグ、再生時室暖中フラグの値をＯＦＦとする。
【００９６】
次にＣＰＵ３１は、ＲＡＭ３３の所定アドレスを参照し、後述する使用頻度統計処理（ステップＳ１３）にて生成された統計結果が格納されているか否かについて判断を行う（ステップＳ１２）。ここで統計結果が格納されていないと判断した場合（ステップＳ１２：Ｎｏ）には、ＣＰＵ３１は、処理をステップＳ１３へ移す。
【００９７】
ステップＳ１３においてＣＰＵ３１は、使用頻度統計処理を行う。この使用頻度統計処理は、衛生洗浄装置Ａが人感センサ１９や着座センサ３６により検出した使用者の使用頻度を単位時間毎に所定期間に亘り統計を行い、その結果を生成する処理である。この使用頻度統計処理は、衛生洗浄装置Ａの仕様等に応じてアルゴリズムを作成したり、また、公知の方法により行うことができる。本実施形態に係る衛生洗浄装置Ａでは、日時手段３４を参照しつつ１時間毎の使用頻度を１週間に亘り蓄積することで、統計結果を生成するよう構成している。
【００９８】
すなわち、本ステップＳ１３は、衛生洗浄装置Ａの起動後（電源投入後）やリセット後から１週間経過する前の統計結果がまだ生成されていない状態において、使用者によるトイレ１０の使用の頻度を監視し、データの蓄積を行うステップである。本ステップＳ１３を終えるとＣＰＵ３１は処理をステップＳ１５へ移す。
【００９９】
一方、ステップＳ１２において統計結果が格納されていると判断した場合（ステップＳ１２：Ｙｅｓ）には、ＣＰＵ３１は処理をステップＳ１４へ移す。
【０１００】
ステップＳ１４においてＣＰＵ３１は、ＲＡＭ３３の所定アドレスに格納されている統計結果に基づき、高頻度時間帯を特定し設定を行う。この高頻度時間帯の特定もまた、衛生洗浄装置Ａの仕様等に応じてアルゴリズムを作成したり、また、公知の方法により行うことができるが、本実施形態では、単位時間である１時間あたりの使用頻度が１以上であって比較的高く、且つ使用頻度の高い時間が連続してより長く続く時間帯を高頻度時間帯として決定するようにしている。なお、ＣＰＵ３１がステップＳ１３やステップＳ１４等を実行することにより、衛生洗浄装置Ａの使用者の有無を検出する人感センサ１９（使用者検出手段）からの使用者検出信号に基づいて衛生洗浄装置Ａの使用頻度を統計し、統計結果から使用頻度の高い高頻度時間帯を特定する高頻度時間帯特定手段として機能する。
【０１０１】
また、本ステップＳ１４においてＣＰＵ３１は、高頻度時間帯前の１時間を高頻度使用前時間帯として設定する。本ステップＳ１４を終えるとＣＰＵ３１は処理をステップＳ１５へ移す。
【０１０２】
ステップＳ１５においてＣＰＵ３１は、衛生洗浄装置Ａが備える各種機能を実現するための各種処理を実行する。一例を挙げるならば、この各種処理では、使用者がトイレルームＲ内に入室した際に自動で便蓋や便座を上げる機能や、人体洗浄機能、洗浄水の模擬音源を再生する機能など、各種機能を発揮するために必要な処理が実行される。
【０１０３】
ステップＳ１５を終えたＣＰＵ３１は次に、乾燥処理を実行する（ステップＳ１６）。この乾燥処理は、臀部等の洗浄によって濡れた人体を乾燥する乾燥機能を発揮させるための処理であり、詳細については後に図７を参照しつつ説明する。
【０１０４】
ステップＳ１６を終えたＣＰＵ３１は次に、暖房処理を実行する（ステップＳ１７）。この暖房処理は、トイレルームＲ内の暖房を行うための処理であり、詳細については後に図８を参照しつつ説明する。
【０１０５】
ステップＳ１７を終えたＣＰＵ３１は次に、脱臭処理を実行する（ステップＳ１８）。脱臭処理は、便鉢内やトイレルーム内に存在する臭気成分を含んだ空気を吸気して臭いの除去を行うための処理であり、詳細については後に図９を参照しつつ説明する。
【０１０６】
ステップＳ１８を終えたＣＰＵ３１は次に、脱臭フィルタ再生処理を実行する（ステップＳ１９）。脱臭フィルタ再生処理は、脱臭・室暖ユニット１４内に配置された脱臭フィルタ２８の再生を行うための処理であり、詳細については後に図１０を参照しつつ説明する。
【０１０７】
ステップＳ１９を終えたＣＰＵ３１は次に、ヒータ等駆動処理を実行する（ステップＳ２０）。このヒータ等駆動処理は、ステップＳ１５〜ステップＳ１９の各処理において記憶や書換等が行われたＲＡＭ３３上のヒータ駆動値、ファン駆動値、乾燥中フラグ等を参照し、再生用ヒータ２９の駆動や停止、ファン２６の駆動や停止、乾燥ファン２２ａの駆動や停止を行うための処理である。
【０１０８】
具体的には、ステップＳ２０においてＣＰＵ３１は、ＲＡＭ３３の所定アドレスを参照し、乾燥中フラグの値がＯＮであれば乾燥ファン２２ａを駆動させ、ＯＦＦであれば乾燥ファン２２ａを停止させる。
【０１０９】
また、ＣＰＵ３１は、ファン駆動値の値が「０」以外の値ならばファン２６を駆動させ、「０」であればファン２６を停止させる。
【０１１０】
またＣＰＵ３１は、ヒータ駆動値の値が「０」であれば再生用ヒータ２９の駆動を停止させ、「１」であれば再生用ヒータ２９に対して第１の電力を供給して駆動させ、「２」または「３」であれば第２の電力を供給して再生用ヒータ２９を駆動させる。本ステップＳ２０を終了すると、ＣＰＵ３１は処理をステップＳ１２へ戻す。
【０１１１】
次に、ステップＳ１６の乾燥処理について図７を参照しつつ説明する。
【０１１２】
乾燥処理においてＣＰＵ３１はまず、ＲＡＭ３３の所定アドレスを参照し、乾燥中フラグの値がＯＮであるか否かの判断を行う（ステップＳ３１）。ここで乾燥中フラグの値がＯＮであると判断した場合（ステップＳ３１：Ｙｅｓ）には、ＣＰＵ３１は処理をステップＳ３５へ移す。一方、乾燥中フラグの値がＯＮではないと判断した場合（ステップＳ３１：Ｎｏ）には、ＣＰＵ３１は処理をステップＳ３２へ移す。
【０１１３】
ステップＳ３２においてＣＰＵ３１は、リモコン装置１７の乾燥ボタンが使用者によって押下されたか否かの判断を行う。ここで乾燥ボタンが押下されていないと判断した場合（ステップＳ３２：Ｎｏ）には、ＣＰＵ３１は処理をメイン処理へ戻す。一方、乾燥ボタンが押下されたと判断した場合（ステップＳ３２：Ｙｅｓ）には、ＣＰＵ３１は処理をステップＳ３３へ移す。
【０１１４】
ステップＳ３３においてＣＰＵ３１は、ＲＡＭ３３の所定アドレスを参照し、着座センサ３６がＯＮ状態であるか否か、すなわち、使用者が便座に腰掛けているか否かについて判断を行う。ここで着座センサ３６がＯＮではない（腰掛けていない）と判断した場合（ステップＳ３３：Ｎｏ）には、ＣＰＵ３１は処理をメイン処理へ戻す。一方、着座センサ３６がＯＮである（腰掛けている）と判断した場合（ステップＳ３３：Ｙｅｓ）には、ＣＰＵ３１は処理をステップＳ３４へ移す。
【０１１５】
ステップＳ３４においてＣＰＵ３１は、ＲＡＭ３３の所定アドレスに記憶されている乾燥中フラグの値をＯＮとし、ヒータ駆動値に１を加算すると共に、日時手段３４を参照して現在時刻を取得し、これを乾燥開始時刻としてＲＡＭ３３に記憶させる。
【０１１６】
次にＣＰＵ３１は、着座センサ３６がＯＦＦか、またはリモコン装置１７の停止ボタンが使用者によって押下されたか否かの判断を行う（ステップＳ３５）。ここで着座センサ３６はＯＦＦでなく、停止ボタンも押下されていないと判断した場合（ステップＳ３５：Ｎｏ）には、ＣＰＵ３１は処理をメイン処理へ戻す。一方、着座センサ３６がＯＦＦであったり、または停止ボタンが押下されたと判断した場合（ステップＳ３５：Ｙｅｓ）には、ＣＰＵ３１は処理をステップＳ３６へ移す。
【０１１７】
ステップＳ３６においてＣＰＵ３１は、ＲＡＭ３３に記憶されているヒータ駆動値の値から１を減算すると共に、乾燥中フラグの値をＯＦＦとし、処理をステップＳ３７へ移す。
【０１１８】
ステップＳ３７においてＣＰＵ３１は、再生中フラグの値がＯＮであるか否かの判断を行う。ここで再生中フラグの値がＯＮであると判断した場合（ステップＳ３７：Ｙｅｓ）には、現在は脱臭フィルタ２８の再生処理中であって乾燥による副次的再生時間を累積時間に加算する必要はないとして、ＣＰＵ３１は処理をメイン処理へ戻す。一方、再生中フラグの値がＯＮではないと判断した場合（ステップＳ３７：Ｎｏ）には、ＣＰＵ３１は、処理をステップＳ３８へ移す。
【０１１９】
ステップＳ３８においてＣＰＵ３１は、日時手段３４を参照して現在時刻を取得する共に、ＲＡＭ３３に記憶されている乾燥開始時刻と現在時刻との時間差を算出し、これを乾燥による副次的再生時間として累積時間に加算する。本ステップＳ３８を終えたＣＰＵ３１は、処理をメイン処理へ戻す。
【０１２０】
次に、ステップＳ１７の暖房処理について図８を参照しつつ説明する。
【０１２１】
暖房処理においてＣＰＵ３１はまず、暖房中フラグの値がＯＮであるか否かについて判断を行う（ステップＳ４０）。ここで暖房中フラグの値がＯＮであると判断した場合（ステップＳ４０：Ｙｅｓ）には、ＣＰＵ３１は処理をステップＳ４４へ移す。一方、暖房中フラグの値がＯＮではないと判断した場合（ステップＳ４０：Ｎｏ）には、ＣＰＵ３１は処理をステップＳ４１へ移す。
【０１２２】
ステップＳ４１においてＣＰＵ３１は、リモコン装置１７の暖房ボタンが使用者によって押下されたか否かの判断を行う。ここで暖房ボタンは押下されていないと判断した場合（ステップＳ４１：Ｎｏ）には、ＣＰＵ３１は処理をメイン処理へ戻す。一方、暖房ボタンが押下されたと判断した場合（ステップＳ４１：Ｙｅｓ）には、ＣＰＵ３１は処理をステップＳ４２へ移す。
【０１２３】
ステップＳ４２においてＣＰＵ３１は、ＲＡＭ３３の所定アドレスに記憶されている暖房中フラグの値をＯＮとし、ヒータ駆動値の値に１を加算し、ファン駆動値の値に１を加算すると共に、日時手段３４より現在時刻を取得し、これを暖房開始時刻として記憶させる。
【０１２４】
またＣＰＵ３１は、暖房開始時刻にＲＡＭ３３の所定アドレスに記憶されている予め設定された暖房時間（本実施形態では１時間）を加えた時刻を算出し、これを暖房終了時刻として記憶させる（ステップＳ４３）。
【０１２５】
次にＣＰＵ３１は、日時手段３４を参照して現在時刻を取得すると共に、現在時刻が暖房終了時刻であるか否かについて判断を行う（ステップＳ４４）。ここで現在時刻は暖房終了時刻であると判断した場合（ステップＳ４４：Ｙｅｓ）には、ＣＰＵ３１は処理をステップＳ４６へ移す。一方、現在時刻は暖房終了時刻ではないと判断した場合（ステップＳ４４：Ｎｏ）には、ＣＰＵ３１は処理をステップＳ４５へ移す。
【０１２６】
ステップＳ４５においてＣＰＵ３１は、リモコン装置１７の停止ボタンが使用者によって押下されたか否かについて判断を行う。ここで停止ボタンが押下されていないと判断した場合（ステップＳ４５：Ｎｏ）には、ＣＰＵ３１は処理をメイン処理に戻す。一方、停止ボタンが押下されたと判断した場合（ステップＳ４５：Ｙｅｓ）には、ＣＰＵ３１は処理をステップＳ４６へ移す。
【０１２７】
ステップＳ４６においてＣＰＵ３１は、ＲＡＭ３３の所定アドレスに記憶されているファン駆動値の値から１を減算し、ヒータ駆動値の値から１を減算すると共に、暖房中フラグの値をＯＦＦにする。本ステップＳ４６を終えるとＣＰＵ３１は処理をステップＳ４７へ移す。
【０１２８】
ステップＳ４７においてＣＰＵ３１は、再生中フラグの値がＯＮであるか否かの判断を行う。ここで再生中フラグの値がＯＮであると判断した場合（ステップＳ４７：Ｙｅｓ）には、現在は脱臭フィルタ２８の再生処理中であって暖房による副次的再生時間を累積時間に加算する必要はないとして、処理をメイン処理へ戻す。一方、再生中フラグの値がＯＮではないと判断した場合（ステップＳ４７：Ｎｏ）には、処理をステップＳ４８へ移す。
【０１２９】
ステップＳ４８においてＣＰＵ３１は、日時手段３４を参照して現在時刻を取得する共に、ＲＡＭ３３に記憶されている暖房開始時刻と現在時刻との時間差を算出し、これを室暖による副次的再生時間として累積時間に加算する。本ステップＳ４８を終えたＣＰＵ３１は、処理をメイン処理へ戻す。
【０１３０】
次に、ステップＳ１８の脱臭処理について図９を参照しつつ説明する。
【０１３１】
脱臭処理においてＣＰＵ３１はまず、ＲＡＭ３３の所定アドレスを参照し、脱臭中フラグの値がＯＮであるか否かの判断を行う（ステップＳ５１）。ここで脱臭中フラグの値がＯＮであると判断した場合（ステップＳ５１：Ｙｅｓ）には、ＣＰＵ３１は処理をステップＳ５５へ移す。一方、脱臭中フラグの値がＯＮではないと判断した場合（ステップＳ５１：Ｎｏ）には、ＣＰＵ３１は処理をステップＳ５２へ移す。
【０１３２】
ステップＳ５２においてＣＰＵ３１は、リモコン装置１７の脱臭ボタンが使用者により押下されたか、または着座センサ３６がＯＮであるか否かの判断を行う。ここで脱臭ボタンは押下されておらず、着座センサ３６もＯＮではないと判断した場合（ステップＳ５２：Ｎｏ）には、ＣＰＵ３１は処理をメイン処理へ戻す。一方、脱臭ボタンが押下されるか、または着座センサ３６がＯＮであると判断した場合（ステップＳ５２：Ｙｅｓ）には、ＣＰＵ３１は処理をステップＳ５３へ移す。
【０１３３】
ステップＳ５３においてＣＰＵ３１は、ＲＡＭ３３の所定アドレスに記憶されている脱臭中フラグの値をＯＮとし、ファン駆動値の値に１を加算すると共に、日時手段３４を参照して現在時刻を取得した上で、この時刻を脱臭開始時刻としてＲＡＭ３３に記憶させる。本ステップＳ５３を終えたＣＰＵ３１は、処理をステップＳ５４へ移す。
【０１３４】
ステップＳ５４においてＣＰＵ３１は、脱臭開始時刻にＲＡＭ３３の所定アドレスに記憶されている予め設定された脱臭時間（本実施形態では10分）を加えた時刻を算出し、これを脱臭終了時刻としてＲＡＭ３３に記憶させる。
【０１３５】
次にＣＰＵ３１は、日時手段３４を参照して現在時刻を取得すると共に、現在時刻が脱臭終了時刻であるか否かについて判断を行う（ステップＳ５５）。ここで現在時刻は脱臭終了時刻であると判断した場合（ステップＳ５５：Ｙｅｓ）には、ＣＰＵ３１は処理をステップＳ５７へ移す。一方、現在時刻は脱臭終了時刻ではないと判断した場合（ステップＳ５５：Ｎｏ）には、ＣＰＵ３１は処理をステップＳ５６へ移す。
【０１３６】
ステップＳ５６においてＣＰＵ３１は、リモコン装置１７の停止ボタンが使用者によって押下されたか否かについて判断を行う。ここで停止ボタンが押下されていないと判断した場合（ステップＳ５６：Ｎｏ）には、ＣＰＵ３１は処理をメイン処理に戻す。一方、停止ボタンが押下されたと判断した場合（ステップＳ５６：Ｙｅｓ）には、ＣＰＵ３１は処理をステップＳ５７へ移す。
【０１３７】
ステップＳ５７においてＣＰＵ３１は、ＲＡＭ３３の所定アドレスに記憶されているファン駆動値の値から１を減算すると共に、脱臭中フラグの値をＯＦＦにする。本ステップＳ５７を終えるとＣＰＵ３１は処理をメイン処理へ移す。
【０１３８】
次に、ステップＳ１９の脱臭フィルタ再生処理について図１０を参照しつつ説明する。
【０１３９】
脱臭フィルタ再生処理においてＣＰＵ３１はまず、ＲＡＭ３３の所定アドレスに記憶されている再生中フラグを参照し、再生中フラグの値がＯＮであるか否かの判断を行う（ステップＳ６１）。ここで再生中フラグの値がＯＮであると判断した場合（ステップＳ６１：Ｙｅｓ）には、ＣＰＵ３１は処理をステップＳ６９へ移す。一方、再生中フラグの値がＯＮではないと判断した場合（ステップＳ６１：Ｎｏ）には、ＣＰＵ３１は処理をステップＳ６２へ移す。
【０１４０】
ステップＳ６２においてＣＰＵ３１は、日時手段３４の現在時刻を参照すると共に、現在が高頻度使用前時間帯であるか否かについて判断を行う。ここで現在が高頻度使用前時間帯ではないと判断した場合（ステップＳ６２：Ｎｏ）には、ＣＰＵ３１は処理をメインルーチンへ戻す。一方、現在が高頻度使用前時間帯であると判断した場合（ステップＳ６２：Ｙｅｓ）には、ＣＰＵ３１は処理をステップＳ６３へ移す。
【０１４１】
ステップＳ６３においてＣＰＵ３１は、ＲＡＭ３３を参照して完全再生所要時間と累積時間とを取得すると共に、完全再生所要時間から累積時間を減算して差引時間を算出する。
【０１４２】
次いでＣＰＵ３１は、ＲＡＭ３３に記憶されている高頻度時間帯の開始時刻から差引時間分遡った時刻を再生開始時刻として設定し、ＲＡＭ３３の所定アドレスに記憶させ（ステップＳ６４）、処理をステップＳ６５へ移す。
【０１４３】
ステップＳ６５においてＣＰＵ３１は、日時手段３４の現在時刻を参照し、現在時刻が再生開始時刻であるか否かについて判断を行う。ここで現在時刻が再生開始時刻ではないと判断した場合（ステップＳ６５：Ｎｏ）には、ＣＰＵ３１は処理をメイン処理へ戻す。一方、現在時刻が再生開始時刻であると判断した場合（ステップＳ６５：Ｙｅｓ）には、ＣＰＵ３１は処理をステップＳ６６へ移す。
【０１４４】
ステップＳ６６においてＣＰＵ３１は、ＲＡＭ３３の所定アドレスに記憶されている再生中フラグの値をＯＮとし、ヒータ駆動値に１を加算する。
【０１４５】
次にＣＰＵ３１はステップＳ６７において、ＲＡＭ３３の所定アドレスを参照し、温度センサ３５より取得したトイレルームＲ内の温度が10℃以下であるか否かについて判断を行う。ここで室温が10℃以下ではないと判断した場合（ステップＳ６７：Ｎｏ）には、ＣＰＵ３１は処理をステップＳ６９へ移す。一方、室温が10℃以下であると判断した場合（ステップＳ６７：Ｙｅｓ）には、ＣＰＵ３１は処理をステップＳ６８へ移す。
【０１４６】
ステップＳ６８においてＣＰＵ３１は、ＲＡＭ３３の所定アドレスに記憶されているファン駆動値の値に１を加算し、再生時室暖中フラグの値をＯＮとし、処理をステップＳ６９へ移す。
【０１４７】
ステップＳ６９においてＣＰＵ３１は、日時手段３４より現在時刻を取得した上で、現在時刻が高頻度時間帯であるか否かについて判断を行う。ここで現在時刻が高頻度時間帯ではないと判断した場合（ステップＳ６９：Ｎｏ）には、ＣＰＵ３１は処理をメイン処理へ戻す。一方、現在時刻が高頻度時間帯であると判断した場合（ステップＳ６９：Ｙｅｓ）には、ＣＰＵ３１は処理をステップＳ７０へ移す。
【０１４８】
ステップＳ７０においてＣＰＵ３１は、再生時室暖中フラグの値がＯＮであるか否かの判断を行う。ここで再生時室暖中フラグの値がＯＮではないと判断した場合（ステップＳ７０：Ｎｏ）には、ＣＰＵ３１は処理をステップＳ７２へ移す。一方、再生時室暖中フラグの値がＯＮであると判断した場合（ステップＳ７０：Ｙｅｓ）には、ＣＰＵ３１は処理をステップＳ７１へ移す。
【０１４９】
ステップＳ７１においてＣＰＵ３１は、ＲＡＭ３３の所定アドレスに記憶されているファン駆動値の値から１を減算し、再生時室暖中フラグの値をＯＦＦにして、処理をステップＳ７２へ移す。
【０１５０】
ステップＳ７２においてＣＰＵ３１は、ＲＡＭ３３の所定アドレスに記憶されている再生中フラグの値をＯＦＦとし、ヒータ駆動値の値から１を減算する共に、累積時間をリセットした上で、処理をメイン処理へ戻す。なお、制御部１３は、前回の累積時間のリセットから本ステップＳ７２の実行による累積時間のリセットまでを１周期とし、周期的に脱臭フィルタ２８の再生処理を実行する。例えば本実施形態では、毎日、高頻度使用前時間帯に脱臭フィルタ再生処理を実行することで、周期的な脱臭フィルタ２８の再生を実現している。
【０１５１】
そして、このような制御部１３を備える衛生洗浄装置Ａによれば、ＣＰＵ３１がステップＳ６６やステップＳ２０を実行することで、制御部１３は、加熱部としての再生用ヒータ２９を駆動して脱臭フィルタ２８の加熱再生処理を実行する脱臭フィルタ再生処理実行手段として機能する。
【０１５２】
また、脱臭フィルタ再生処理の実行中、例えば、本実施形態では脱臭フィルタ再生処理中であって冬場などの如くトイレルームＲ内の室温が10℃以下のとき（ステップＳ６７）には、ステップＳ８６やステップＳ２０の実行によって送気部としてのファン２６を稼動してトイレルームＲ内雰囲気の暖房を行う室暖処理実行手段として機能させることができる。
【０１５３】
従って、脱臭フィルタの加熱再生中にファン２６を稼動させることで、脱臭・室暖ユニット１４を室暖ユニットとしても機能させることができ、脱臭・室暖ユニット１４と室暖ユニットとをそれぞれ別個に備える必要がなく、再生用ヒータ２９以外のヒータ等の加熱部の増設に由来する装置の大型化や最大消費電力の増大を抑制しつつも、脱臭機能に加えて室暖機能を衛生洗浄装置に実装することができる。なお、本実施形態では再生時室暖の実行温度を10℃以下としたがこれに限定されるものではなく、更に高い温度や低い温度としたり、リモコン装置１７等を介して使用者が任意に設定した温度としても良いのは勿論である。
【０１５４】
また、ステップＳ１３やステップＳ１４の実行による高頻度時間帯特定手段により特定した高頻度時間帯に基づいて、同じくステップＳ１４の実行により高頻度使用前時間帯を設定すると共に、ステップＳ６６やステップＳ６８、ステップＳ２０等の実行により高頻度時間帯よりも前の時間帯である高頻度使用前時間帯にファン２６と再生用ヒータ２９とを駆動してトイレルームＲ内の暖房を行うこととしたため、トイレルームＲへの入室頻度が高いと予想される時間帯に際し、事前にトイレルームＲ内の暖房を行うことができる。
【０１５５】
また、ファン２６が駆動すれば気流は脱臭フィルタ２８を通気し、脱臭機能が発揮されることとなり、併せて、再生用ヒータが駆動すれば脱臭フィルタ２８の再生が行われ、これらを同時に実現することができる。
【０１５６】
それ故、高頻度時間帯にトイレルームＲに入室した使用者がトイレルームＲ内で不快な臭気を感じてしまうことを抑制することができ、脱臭フィルタ２８の再生をしつつ、併せて冬場などトイレルームＲ内の室温が低い場合であっても暖房を行って快適なトイレ環境を実現することができる。
【０１５７】
また、制御部１３は、ステップＳ３５やステップＳ２０の実行により、乾燥中フラグの値がＯＮである場合に連動する乾燥ファン２２ａの駆動時に、ヒータ駆動値に１を加算して再生用ヒータ２９を駆動させる乾燥用気流加熱実行手段を備えている。
【０１５８】
従って、脱臭フィルタ２８の加熱再生を行う再生用ヒータ２９を、人体乾燥を行う温風の生成のための熱源として兼用することができ、加熱部の増設に由来する装置の大型化や最大消費電力の増大を抑制することができる。
【０１５９】
また、脱臭フィルタ加熱再生処理（ステップＳ１９）は、ステップＳ７２の実行から次のステップＳ７２の実行を１周期として周期的に行われるものであり、ステップＳ３８やステップＳ４８の実行による副次的再生時間を積算した累積時間をステップＳ６３の実行により完全再生所要時間から差し引いて差引時間を求め、ステップＳ６４やステップＳ６５、ステップＳ６９の実行により差引時間に亘り脱臭フィルタ２８の加熱再生を完了させる再生完了処理実行手段を実現している。
【０１６０】
従って、脱臭フィルタ２８の加熱再生に際し、余分な熱量の付与、本実施形態では電力により熱源として機能する再生用ヒータ２９により余分な電力を使用してしまうことを抑制でき、効率的な加熱再生を行うことができる。
【０１６１】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【０１６２】
例えば、本実施形態に係る衛生洗浄装置Ａにおいて室暖処理実行手段は、脱臭フィルタ再生処理の実行中にファン２６を稼動してトイレルームＲ内雰囲気の暖房を行うこととしたが、これに限定されるものではない。
【０１６３】
例えば、図１０のステップＳ７１に代えて、図１１に示すステップＳ７１−１及びステップＳ７１−２を実行することで、脱臭フィルタ再生処理の実行直後にもトイレルームＲ内雰囲気の暖房を行うこともできる。
【０１６４】
具体的には、ステップＳ７１−１においてＣＰＵ３１は、ＲＡＭ３３の所定アドレスに記憶されている再生時室暖中フラグをＯＦＦとすると共に、暖房中フラグをＯＮとし、ヒータ駆動値の値に１を加算し、日時手段３４を参照して現在時刻を取得した上で、現在時刻を暖房開始時刻として記憶させる。
【０１６５】
次いでＣＰＵ３１は、ステップＳ７１−２において、ＲＡＭ３３の所定アドレスに記憶されている予め設定された暖房時間を暖房開始時刻に加え、得られた時刻を暖房終了時刻としてＲＡＭ３３記憶させ、処理をステップＳ７２へ移すこととする。
【０１６６】
このような構成とすることにより、脱臭フィルタ再生処理の実行中に暖房を行っている場合には、脱臭フィルタ再生処理の実行直後（終了後）にも引き続き暖房処理を行わせることができ、冬場などトイレルーム内の温度が低い場合であっても、再生処理の余熱を利用しつつ、使用者にとって快適なトイレルーム内環境を実現することができる。
【０１６７】
また例えば、図４を参照しつつ説明したように、本実施形態に係る衛生洗浄装置Ａでは、乾燥用ダクト２２ｂの内部に再生用ヒータ２９の突設加熱部２９ｂを露出させた構成としたが、これに限定されるものではない。
【０１６８】
一例を挙げるならば、突設加熱部２９ｂに相当する部分を、例えば図１２に示すように、金属や熱伝導性の良好なセラミックス等により構成したヒートシンク（放熱器）３７を伝熱体として露出させ、再生用ヒータ２９にて発生させた熱を伝達させて乾燥用ダクト２２ｂ内を流れる気流を加熱するよう構成しても良い。
【符号の説明】
【０１６９】
１０  トイレ
１２  便器
１３  制御部
１４  脱臭・室暖ユニット
１７  リモコン装置
１９  人感センサ
２２  乾燥ユニット
２２ａ  乾燥ファン
２２ｂ  乾燥用ダクト
２６  ファン
２７  送気ダクト
２７ａ  排気口
２８  脱臭フィルタ
２９  再生用ヒータ
２９ａ  脱臭フィルタ巻着部
２９ｂ  突設加熱部
Ａ  衛生洗浄装置
Ｒ  トイレルーム
【図１】
2020029754.tif 000003
【図２】
2020029754.tif 000004
【図３】
2020029754.tif 000005
【図４】
2020029754.tif 000006
【図５】
2020029754.tif 000007
【図６】
2020029754.tif 000008
【図７】
2020029754.tif 000009
【図８】
2020029754.tif 000010
【図９】
2020029754.tif 000011
【図１０】
2020029754.tif 000012
【図１１】
2020029754.tif 000013
【図１２】
2020029754.tif 000014